(57)【要約】【課題】農園芸用支柱の連結に関し、連結・開放作業の容易さを確保しながら、より少ない種類の留め具で多様な状況に対応できるようにする。【解決手段】鋼線が平面視略長円状に形成され鋼線の並列する中央部分を中心として側面視略山形に屈曲されており、両端の円弧が支柱４０ｂを各々挿通させてその内周面で支柱４０ｂの外周面に当接して保持する支柱保持部１１，１２とされ、中央部分の屈曲部内側空間で支柱４０ｂに交差する支柱４０ａを挿通させて内側面でその外周面に当接して保持する支柱保持部１３Ａとされた、二本の支柱４０ａ，４０ｂを交差部で連結・固定する農園芸用支柱の留め具１Ａであって、屈曲部を中心として弾性変形でさらに屈曲させた状態で二本の支柱４０ａ,０ｂを連結することにより、鋼線の弾性反発力で支柱４０ａ,０ｂ同士を交差部で押し付ける方向に付勢して、連結状態を固定するものとした。【選択図】図１
0003128008.tif 000002
【実用新案登録請求の範囲】
【請求項１】
鋼線が平面視略長円状に形成されているとともに前記鋼線の並列する中央部分を中心として側面視略山形に屈曲されており、両端の円弧が第一の支柱を各々挿通させて前記各円弧の内周面で前記第一の支柱外周面の同じ側に当接して保持し、前記中央部分の屈曲部による内側空間で前記第一の支柱に交差する第二の支柱を挿通させて前記屈曲部内側面で前記第二の支柱の外周面に当接して保持するものとされ、前記二本の支柱を交差部で連結・固定する農園芸用支柱の留め具であって、
前記屈曲部を中心として弾性変形によりさらに屈曲させた状態で前記二本の支柱を連結することにより、前記鋼線の弾性反発力で前記支柱同士を交差部で押し付ける方向に付勢して連結状態を固定する、
ことを特徴とする農園芸用支柱の留め具。
【請求項２】
前記鋼線の両端部は、各々対称方向にＵ字状に湾曲しながら略重なって一つの前記円弧を構成し、該両端部を互いに引き離す方向に開くことで前記支柱を内側に導入する開放部を形成する、ことを特徴とする請求項１に記載した農園芸用支柱の留め具。
【請求項３】
前記鋼線の両端部は、前記屈曲部による内側空間を下向きにした場合に各々末端側を持ち上げるように所定角度で捻った状態に形成されている、ことを特徴とする請求項２に記載した農園芸用支柱の留め具。
【請求項４】
前記鋼線の両端部は、末端に該両端部の湾曲方向とは逆向きに前記鋼線を湾曲させて円形にした摘み部を形成している、ことを特徴とする請求項２または３に記載した農園芸用支柱の留め具。
【請求項５】
前記屈曲部は、前記両端側の円弧よりも径の大きな円弧に形成されている、ことを特徴とする請求項１，２，３または４に記載した農園芸用支柱の留め具。
【請求項６】
前記屈曲部の円弧は、並列した鋼線上で互いに異なる端部寄りに所定距離ずらして形成され、前記二本の支柱を所定角度傾斜して交差した状態で連結・固定する、ことを特徴とする請求項５に記載した農園芸用支柱の留め具。
【請求項７】
請求項１，２，３，４，５または６に記載した農園芸用支柱の留め具はステンレス鋼線からなる、ことを特徴とする農園芸用支柱の留め具。
【考案の詳細な説明】
【技術分野】
【０００１】
本考案は、農園芸において植物の支え材等として用いる支柱の留め具に関し、殊に、二本の支柱による交差部を所定角度で連結・固定するための農園芸用支柱の留め具に関する。  
【背景技術】
【０００２】
近年、金属製のポールを合成樹脂で被覆して軽量で耐久性の高いものとした農園芸用支柱が普及しており、この支柱を紐や針金等で複数本連結して組立てて植物の栽培棚などに使用している。このような支柱による組立物は、時期に応じて異なる植物を栽培することも多いことから、組立て・解体の頻度が比較的高くしかも支柱の交差箇所が多数あるため、その連結・分離作業に要する手間が栽培者にとって大きな負担となっていた。
【０００３】
この問題に対し、実登第３０４７１６０号公報には、支柱を挿通保持する二本の合成樹脂製のアームを十字に組み合わせて、支柱が直角に交差する部分を連結する留め具が提案されている。この留め具は、アームに嵌め込んで保持させるだけで支柱交差部を連結・固定して栽培棚等に組み上がるものであり、その組立て・解体において支柱交差部で紐を結んだり解いたりする作業を不要として、栽培者の手間を大きく軽減できる点を特徴としている。
【０００４】
しかし、この留め具は合成樹脂の一体成型品であることから、屋外の使用では比較的短期間で劣化して素材が弾性を失うため、耐用年数が比較的短いという難点がある。そこで、図５に示すように、弾性に富み腐食に強いステンレス鋼線の中央部分をＵ字状に湾曲させて支柱保持部１４とし、これから延長して並列した鋼線の直線部を図のように支柱保持部１４の湾曲方向に対し直角方向に湾曲させて円弧１５０ａ，１５０ｂが並列してなる支柱保持部１５を形成し、その両端側をさらに丸めて押さえ部１５１，１５２とした、農園芸用支柱の留め具１Ｄが普及するようになった。
【０００５】
この留め具１Ｄは、支柱４１，４１が直角に交差する部分を鋼線の弾性復元力で互いに押し付けて押圧するように連結した状態で簡易に固定できるものとし、且つ、素材がステンレス鋼であることから腐食に強いため、長期間の使用を可能としたものである。
【０００６】
しかしながら、この鋼線製の留め具１Ｄと上述の合成樹脂製の留め具に共通して、その構成から適用する支柱の太さが限定されるために太さの異なる支柱毎にサイズを一致させて留め具を作成する必要があることが難点である。また、これらの留め具は、同じ太さの支柱同士を連結することを想定しており、異なる太さの支柱同士を連結させるためには専用のものを作成しなければならない。
【０００７】
さらに、これらの留め具は支柱が直角に交差する部分における固定を想定して作成されており、支柱同士が９０度よりも鋭角に斜めに交差する場合は、図６に示すように横向きの支柱４１に二本の縦（斜め）の支柱４１，４１を各々留め具１Ｄ，１Ｄで固定する必要が生じて、留め具の数が増えるとともに作業に手間を要するものとなってしまう。
【特許文献１】実登第３０４７１６０号公報
【考案の開示】
【考案が解決しようとする課題】
【０００８】
本考案は、上記のような問題点を解決しようとするものであり、農園芸用支柱の連結に関し、連結・開放作業の容易さを確保しながら、より少ない種類の留め具で多様な状況に対応できるようにすることを課題とする。
【課題を解決するための手段】
【０００９】
そこで、本考案は、鋼線が平面視略長円状に形成されているとともに鋼線の並列する中央部分を中心として側面視略山形に屈曲されており、両端の円弧が第一の支柱を各々挿通させてその内周面で第一の支柱外周面の同じ側に当接して保持し、中央部分の屈曲部による内側空間で第一の支柱に交差する第二の支柱を挿通させて屈曲部内側面でその外周面に当接して保持するものとされ、二本の支柱を交差部で連結・固定する農園芸用支柱の留め具であって、屈曲部を中心として弾性変形によりさらに屈曲させた状態で二本の支柱を連結することにより、鋼線の弾性反発力で支柱同士を交差部で押し付ける方向に付勢して連結状態を固定する、ことを特徴とするものとした。
【００１０】
このように、鋼線を長円状に形成して側面視山形に屈曲させてなる支柱の留め具とし、これを屈曲部を中心として弾性変形でさらに屈曲させた状態で二本の支柱による交差部を連結するようにしたことで、両端側の円弧の内径が挿通する第一の支柱の外径に一致せずにこれよりも大きな場合であっても、その屈曲部を中心とした鋼線の弾性反発力で、二本の支柱同士を押し付けてその連結状態を堅固に固定できるものとなる。
【００１１】
また、この鋼線の両端部が各々対称方向にＵ字状に湾曲しながら略重なって一つの円弧を構成し、この湾曲した鋼線の両端部を互いに引き離す方向に開くことで、支柱を内側に導入する開放部を形成するものとすれば、連結・固定作業が一層容易なものとなる。
【００１２】
さらに、この開放部を形成する鋼線の両端部を、屈曲部による内側空間を下向きにした場合に各々末端側を持ち上げるように所定角度で捻った状態に形成したものとすれば、支柱を連結・固定した場合に末端側の弾性反発力で固定状態が一層堅固なものとなり、さらにまた、この鋼線の両端部末端にその湾曲方向とは逆向きに鋼線を湾曲させて円形とした摘み部を設けたものとすれば、これを手で摘むことにより着脱作業がさらに容易なものとなる。
【００１３】
加えて、中央部分の屈曲部が両端側の円弧よりも径の大きな円弧に形成されたものとすれば、より挿通・固定作業が容易なものとなり、さらに加えて、この円弧は、並列した鋼線上で互いに異なる端部寄りに所定距離ずらして形成され、二本の支柱を所定角度傾斜して交差した状態で連結・固定するものとすれば、傾斜した支柱交差部の連結・固定が一つの留め具でも可能なものとなる。
【００１４】
そして、上述した農園芸用支柱の留め具は、ステンレス鋼線からなるものとすれば、適度な弾性反発力を実現しやすいとともに腐食に強いものとなって、耐用年数の長いものとすることができる。
【考案の効果】
【００１５】
側面視略山形として中央部分の屈曲部を中心とした弾性反発力で二本の支柱を互いに押し付ける状態で連結・固定するものとした本考案によると、連結・開放作業の容易さを確保しながら、より少ない種類の留め具で多様な状況に対応できるものである。
【考案を実施するための最良の形態】
【００１６】
以下に、図面を参照しながら本考案を実施するための最良の形態を説明する。図１（Ａ）は、本考案における第一の実施の形態である農園芸用支柱の留め具１Ａの平面図を示している。留め具１Ａは、弾性に富んで腐食に強いステンレス鋼等からなる所定太さの鋼線を、事務用クリップのように平面視略長円状に屈曲した状態に形成したものを、図１（Ｂ）の側面図に示すように中央部分を中心として略山形に屈曲させてなるものである。
【００１７】
留め具１Ａは、その両端側の円弧が各々支柱保持部１１，１２を形成しており、一方の支柱保持部１２は鋼線を互いに対称方向に湾曲させてＵ字状とした鋼線端部１２０ａ，１２０ｂが、留め具１Ａの長さ方向にわずかにずれた状態で重なって構成されている。
【００１８】
そして、この支柱保持部１２を構成する鋼線端部１２０ａ，１２０ｂは、それぞれ鋼線の末端側となる直線部分を上向きに持ち上げるように所定角度で捻った状態に形成されており、その末端側がさらにその湾曲方向とは逆向きに湾曲されて、それぞれ円形の摘み１２１，１２２を形成しており、これらを手で摘んで図中上下に引き離すことにより、支柱を内側に導入するための開放部を形成するようになっている。
【００１９】
このような構成としたことで、支柱の側方から留め具１Ａを装着する場合等においてこの開放部を開きやすいものとなり、また、図１（Ｃ）に示すように、装着状態において鋼線端部１２０ａ，１２０ｂの末端側が下向きに押さえ付けられた状態になることにより、その弾性反発力で支柱の連結・固定状態をより堅固なものとしている。
【００２０】
また、留め具１Ａにおける中央部分の屈曲部は、図１（Ａ），（Ｂ）に示すように並列する鋼線が両端側の支柱保持部１１，１２の円弧よりも径の大きな円弧１３０ａ，１３０ｂとなるように湾曲されて形成されており、円弧１３０ａ，１３０ｂで支柱保持部１３Ａを構成している。
【００２１】
このような留め具１Ａを用いて、支柱４０ａ，４０ｂの交差部を連結・固定する場合は、支柱保持部１２のＵ字状の鋼線端部１２０ａ，１２０ｂを、摘み１２１，１２２を手で摘んで開き、図１（Ｃ）に示すようにその内側に支柱４０ａ，４０ｂの交差部を導入して、支柱保持部１１，１２の内周面で支柱４０ｂの外周面のうち図中下側部分の二箇所に当接するように両端側を図中下向きにさらに弾性変形で屈曲させて、屈曲部を形成する支柱保持部１３Ａの内側空間にもう一本の支柱４０ａを支柱４０ｂと互いに直角に交差するように挿通・保持させる。
【００２２】
このようにして、留め具１Ａにより支柱４０ａ，４０ｂの交差部を極めて簡易な手順で連結・固定することができ、略山形に屈曲した留め具１Ａをさらに屈曲させて装着することにより、その弾性反発力で両支柱４０ａ，４０ｂを交差部で互いに押し付ける方向で強く付勢することができる。また、支柱４０ａ，４０ｂを互いに強く押し付けることで、各支柱保持部１１，１２，１３Ａ内に保持する支柱は、その円弧の径よりも小さいものであれば径の大小を問わず押圧力による各当接部分の摩擦力で堅固に固定され、留め具１Ａがずれたり脱落したりする心配のないものとなるため、一つの留め具１Ａで様々な太さの支柱に対応することを可能として、経済的にも優れたものとなる
【００２３】
さらに、この留め具１Ａは、図２（Ａ），（Ｂ）に示すようにその支柱保持部１１，１２，１３Ａ内に収まるものであれば、太さの異なる支柱４０ａ，４０ｂの組合せであってもその交差部を容易に連結・固定することができる。そして、この留め具１Ａを錆に強いステンレス鋼線で作成することで、屋外の使用でも殆ど劣化する心配がなく何度でも使い回すことが可能とあり、さらに経済性に優れたものとなる。
【００２４】
図３（Ａ）は、本考案における第二の実施の形態の農園芸用支柱の留め具１Ｂの側面図を示している。留め具１Ｂは、第一の実施の形態の留め具１Ａにおいて中央部分の支柱保持部１３Ａが、鋼線を湾曲させた円弧１３０ａ，１３０ｂが側方から見て揃った状態で並列して形成されているのに対し、支柱保持部１３Ｂが図のように留め具１Ｂの長さ方向に所定幅で互いにずらして形成された円弧１３１ａ，１３１ｂで構成されている点を特徴としている。
【００２５】
このような構成としたことで、留め具１Ｂは図３（Ｂ）の平面図に示すように、支柱４０ｃ，４０ｄを傾斜して交差させた状態で連結・固定することが可能となる。そのため、図６に示した支柱交差部が直角であることを条件とする従来の留め具１Ｄにおいて、支柱を傾斜した状態で連結するのに横方向にもう一本支柱を必要とし、且つ留め具１Ｄを二つ用いるのに対し、一つの留め具１Ｂのみで足りるため経済的で作業の手間も少ないものとなっている。尚、留め具１Ｂは屈曲部の円弧１３０ａ，１３０ｂの径がこれに挿通する支柱４０ｄの外径よりも大きい図３（Ｂ）のような場合において、支柱交差部における狭角は３０度から５０度程度の範囲で対応できるものとなる。
【００２６】
そして、上述した留め具１Ａ，１Ｂの二種類を用いて、植物の栽培棚を組立てる場合は、例えば図４に示すような組合せで組立てることができる。この場合、比較的短時間で組立て可能であり作業者の手間は比較的少ないものとなり、これを解体する場合も比較的短時間で簡単に解体することができる。さらに、留め具１Ａ，１Ｂを錆に強く弾性に富むステンレス鋼線で作成した場合は、腐食・劣化が殆どないものとなり、長年に亘って何度でも再使用が可能なものとなる。
【００２７】
以上、述べたように、本考案により農園芸用支柱の連結において、連結・開放作業を容易にすることができ、且つ、より少ない種類の留め具で多種類の太さの支柱及び多様な交差状態に対応できるようになった。
【図面の簡単な説明】
【００２８】
【図１】（Ａ）は本考案における第一の実施の形態の留め具を示す平面図、（Ｂ）は（Ａ）の側面図、（Ｃ）は（Ａ）の留め具の使用状態を示す側面図。
【図２】（Ａ）は図１の留め具の他の使用状態を示す側面図、（Ｂ）は（Ａ）の平面図。
【図３】（Ａ）は本考案における第二の実施の形態の留め具を示す側面図、（Ｂ）は（Ａ）の留め具の使用状態を示す平面図。
【図４】図１の留め具及び図３の留め具を用いて組立てた栽培棚を示す斜視図。
【図５】従来例を示す斜視図。
【図６】従来例の留め具で傾斜した支柱同士を連結させた場合を示す斜視図。
【符号の説明】
【００２９】
１Ａ，１Ｂ  留め具、１１，１２，１３Ａ，１３Ｂ  支柱保持部、４０ａ，４０ｂ，４０ｃ，４０ｄ  支柱、１２０ａ，１２０ｂ  鋼線端部、１２１，１２２  摘み、１３０ａ，１３０ｂ，１３１ａ，１３１ｂ  円弧
【図１】
0003128008.tif 000003
【図２】
0003128008.tif 000004
【図３】
0003128008.tif 000005
【図４】
0003128008.tif 000006
【図５】
0003128008.tif 000007
【図６】
0003128008.tif 000008